(57)【特許請求の範囲】
【請求項１】
接続対象物の導体パターンと接触する複数のコンタクトと、これらのコンタクトを保持する絶縁ハウジングと、この絶縁ハウジングに回転可能に設けられ、前記複数のコンタクトの配列方向へ延びたほぼ板状のアクチュエータとを備え、
前記コンタクトは、前記絶縁ハウジングに固定される固定部と、前記アクチュエータに設けられたカム部に係合する係合部と、この係合部の近傍に設けられ、前記導体パターンと接触する接触部と、前記固定部と前記接触部との間に設けられ、前記接触部に弾性力を付与するばね部とを有し、
前記絶縁ハウジングに前記接続対象物を挿入する空間部を形成し、前記接触部を前記空間部に突出させ、前記アクチュエータに、前記ばね部の弾性力に抗して前記接触部を移動させ、前記空間部の容積を増やすための操作部を設け、
前記カム部及び前記操作部を前記絶縁ハウジングの正面側に配置し、前記アクチュエータの回転中心軸を前記絶縁ハウジングの背面側に配置し、
前記絶縁ハウジングの背面側に位置し、前記操作部を前記空間部から離れるように操作したときに弾性変形する折曲部を前記ばね部に設けた
ことを特徴とするコネクタ。
【請求項２】
接続対象物の導体パターンと接触する複数のコンタクトと、これらのコンタクトを保持する絶縁ハウジングと、前記コンタクトに回転可能に設けられ、前記複数のコンタクトの配列方向へ延びたほぼ板状のアクチュエータとを備え、
前記コンタクトは、前記絶縁ハウジングに固定される固定部と、前記アクチュエータに設けられたカム部に係合する係合部と、この係合部の近傍に設けられ、前記導体パターンと接触する接触部と、前記固定部と前記接触部との間に設けられ、前記接触部に弾性力を付与するばね部とを有し、
前記絶縁ハウジングに前記接続対象物を挿入する空間部を形成し、前記接触部を前記空間部に突出させ、前記アクチュエータに、前記ばね部の弾性力に抗して前記接触部を移動させ、前記空間部の容積を増やすための操作部を設け、
前記カム部及び前記アクチュエータの回転中心軸を前記絶縁ハウジングの正面側に配置し、前記操作部を前記絶縁ハウジングの背面側に配置し、
前記絶縁ハウジングの背面側に位置し、前記操作部を前記空間部から離れるように操作したときに弾性変形する折曲部を前記ばね部に設けた
ことを特徴とするコネクタ。
【請求項３】
接続対象物の導体パターンと接触する複数のコンタクトと、これらのコンタクトを保持する絶縁ハウジングと、この絶縁ハウジング又は前記コンタクトに回転可能に設けられたアクチュエータとを備え、
前記コンタクトは、前記絶縁ハウジングに固定される固定部と、前記アクチュエータに設けられたカム部に係合する係合部と、この係合部の近傍に設けられ、前記導体パターンと接触する接触部と、前記固定部と前記接触部との間に設けられ、前記接触部に弾性力を付与するばね部とを有し、
前記絶縁ハウジングに前記接続対象物を挿入する空間部を形成し、前記接触部を前記空間部に突出させ、前記アクチュエータに、前記ばね部の弾性力に抗して前記接触部を移動させ、前記空間部の容積を増やすための操作部を設け、
前記コンタクトは前記絶縁ハウジング内のコンタクト配列方向へ交互に配置される第１のコンタクトと第２のコンタクトとで構成され、前記第１のコンタクトのばね部をガイドする第１の溝が前記アクチュエータに設けられ、前記第２のコンタクトのばね部に形成されたガイド部をガイドする第２の溝が前記絶縁ハウジングに設けられていることを特徴とするコネクタ。
【請求項４】
接続対象物の導体パターンと接触する複数のコンタクトと、これらのコンタクトを保持する絶縁ハウジングと、この絶縁ハウジング又は前記コンタクトに回転可能に設けられたアクチュエータとを備え、
前記コンタクトは、前記絶縁ハウジングに固定される固定部と、前記アクチュエータに設けられたカム部に係合する係合部と、この係合部の近傍に設けられ、前記導体パターンと接触する接触部と、前記固定部と前記接触部との間に設けられ、前記接触部に弾性力を付与するばね部とを有し、
前記絶縁ハウジングに前記接続対象物を挿入する空間部を形成し、前記接触部を前記空間部に突出させ、前記アクチュエータに、前記ばね部の弾性力に抗して前記接触部を移動させ、前記空間部の容積を増やすための操作部を設け、
前記コンタクトは前記絶縁ハウジング内のコンタクト配列方向へ交互に配置される第１のコンタクトと第２のコンタクトとで構成され、前記第１のコンタクト及び前記第２のコンタクトをガイドするコンタクト収容溝が前記アクチュエータに設けられていることを特徴とするコネクタ。
【請求項５】
前記アクチュエータの先端部に、前記接続対象物の導体パターンに対する前記コンタクトの位置を合わせるための位置決め部が形成されていることを特徴とする請求項１〜４のいずれか１項記載のコネクタ。
【発明の詳細な説明】
【０００１】
【発明の属する技術分野】
この発明はプリント基板の端部に配置された複数の導体パターンとの接続に用いられるコネクタに関する。
【０００２】
【従来の技術】
コネクタは、プリント基板の導体パターンと接触する複数のコンタクトと、これらのコンタクトを保持する絶縁ハウジングとを備えている。
【０００３】
絶縁ハウジング内にプリント基板が挿入されたとき、プリント基板の導体パターンとコンタクトとが所定の接触力で接触し、このプリント基板と電子部品が搭載された他のプリント基板とを電気的に接続することができる。
【０００４】
ところで、近年電子部品のＩＣ，ＬＳＩ化の進展に伴い、電子部品が搭載されるプリント基板の小型化が進んできた。そのため、プリント基板が装着されるコネクタにもコンタクトピッチの狭小化、コンタクト数の多極化が要求されるようになってきた。
【０００５】
【発明が解決しようとする課題】
しかし、コンタクトピッチを狭小化し、コンタクト数を多極化した場合、プリント基板をコネクタへ挿入したり、コネクタから抜去するとき、コネクタのコンタクトの接触部と導体パターンとの接触力が増大するため、大きな力が必要になり、プリント基板をコジり易くなる。
【０００６】
そのため、プリント基板の先端部によってコネクタのコンタクト接触部に損傷を招いたり、絶縁ハウジングに亀裂を生じさせたりする。
【０００７】
また、銅張りのプリント基板の導体パターンは比較的大きな強度を有しているが、ガラス基板やセラミック基材のプリント基板では導体パターンを厚くできないため、導体パターンの強度が小さく、挿入時や抜去時に導体パターンがはがれてしまうおそれがある。
【０００８】
この発明はこのような事情に鑑みてなされたもので、その課題はコンタクトピッチを狭小化し、コンタクト数を多極化した場合であってもコンタクトや導体パターンに損傷を与えることなく、プリント基板の挿入、抜去を行うことができるコネクタを提供することである。
【０００９】
【課題を解決するための手段】
上記課題を解決するため請求項１記載の発明は、接続対象物の導体パターンと接触する複数のコンタクトと、これらのコンタクトを保持する絶縁ハウジングと、この絶縁ハウジングに回転可能に設けられ、前記複数のコンタクトの配列方向へ延びたほぼ板状のアクチュエータとを備え、前記コンタクトは、前記絶縁ハウジングに固定される固定部と、前記アクチュエータに設けられたカム部に係合する係合部と、この係合部の近傍に設けられ、前記導体パターンと接触する接触部と、前記固定部と前記接触部との間に設けられ、前記接触部に弾性力を付与するばね部とを有し、前記絶縁ハウジングに前記接続対象物を挿入する空間部を形成し、前記接触部を前記空間部に突出させ、前記アクチュエータに、前記ばね部の弾性力に抗して前記接触部を移動させ、前記空間部の容積を増やすための操作部を設け、前記カム部及び前記操作部を前記絶縁ハウジングの正面側に配置し、前記アクチュエータの回転中心軸を前記絶縁ハウジングの背面側に配置し、前記絶縁ハウジングの背面側に位置し、前記操作部を前記空間部から離れるように操作したときに弾性変形する折曲部を前記ばね部に設けたことを特徴とする。
請求項２記載の発明は、接続対象物の導体パターンと接触する複数のコンタクトと、これらのコンタクトを保持する絶縁ハウジングと、前記コンタクトに回転可能に設けられ、前記複数のコンタクトの配列方向へ延びたほぼ板状のアクチュエータとを備え、前記コンタクトは、前記絶縁ハウジングに固定される固定部と、前記アクチュエータに設けられたカム部に係合する係合部と、この係合部の近傍に設けられ、前記導体パターンと接触する接触部と、前記固定部と前記接触部との間に設けられ、前記接触部に弾性力を付与するばね部とを有し、前記絶縁ハウジングに前記接続対象物を挿入する空間部を形成し、前記接触部を前記空間部に突出させ、前記アクチュエータに、前記ばね部の弾性力に抗して前記接触部を移動させ、前記空間部の容積を増やすための操作部を設け、前記カム部及び前記アクチュエータの回転中心軸を前記絶縁ハウジングの正面側に配置し、前記操作部を前記絶縁ハウジングの背面側に配置し、前記絶縁ハウジングの背面側に位置し、前記操作部を前記空間部から離れるように操作したときに弾性変形する折曲部を前記ばね部に設けたことを特徴とする。
【００１０】
操作部によって接触部を移動させて絶縁ハウジングの空間部を増やした後、接続対象物の挿入、抜去を行う。このとき、コンタクトの接触部と接続対象物の導体パターンとの接触力が小さい。
【００１１】
請求項３記載の発明は、接続対象物の導体パターンと接触する複数のコンタクトと、これらのコンタクトを保持する絶縁ハウジングと、この絶縁ハウジング又は前記コンタクトに回転可能に設けられたアクチュエータとを備え、前記コンタクトは、前記絶縁ハウジングに固定される固定部と、前記アクチュエータに設けられたカム部に係合する係合部と、この係合部の近傍に設けられ、前記導体パターンと接触する接触部と、前記固定部と前記接触部との間に設けられ、前記接触部に弾性力を付与するばね部とを有し、前記絶縁ハウジングに前記接続対象物を挿入する空間部を形成し、前記接触部を前記空間部に突出させ、前記アクチュエータに、前記ばね部の弾性力に抗して前記接触部を移動させ、前記空間部の容積を増やすための操作部を設け、前記コンタクトは前記絶縁ハウジング内のコンタクト配列方向へ交互に配置される第１のコンタクトと第２のコンタクトとで構成され、前記第１のコンタクトのばね部をガイドする第１の溝が前記アクチュエータに設けられ、前記第２のコンタクトのばね部に形成されたガイド部をガイドする第２の溝が前記絶縁ハウジングに設けられていることを特徴とする。
【００１２】
第１のコンタクトのばね部がアクチュエータに設けられた第１の溝によってガイドされ、第１のコンタクトがコンタクト配列方向へ整列する。また、第２のコンタクトのばね部のガイド部が絶縁ハウジングに設けられた第２の溝によってガイドされ、第１のコンタクトとコンタクト配列方向へ隣接する第２のコンタクトがコンタクト配列方向へ整列する。
【００１３】
請求項４記載の発明は、接続対象物の導体パターンと接触する複数のコンタクトと、これらのコンタクトを保持する絶縁ハウジングと、この絶縁ハウジング又は前記コンタクトに回転可能に設けられたアクチュエータとを備え、前記コンタクトは、前記絶縁ハウジングに固定される固定部と、前記アクチュエータに設けられたカム部に係合する係合部と、この係合部の近傍に設けられ、前記導体パターンと接触する接触部と、前記固定部と前記接触部との間に設けられ、前記接触部に弾性力を付与するばね部とを有し、前記絶縁ハウジングに前記接続対象物を挿入する空間部を形成し、前記接触部を前記空間部に突出させ、前記アクチュエータに、前記ばね部の弾性力に抗して前記接触部を移動させ、前記空間部の容積を増やすための操作部を設け、前記コンタクトは前記絶縁ハウジング内のコンタクト配列方向へ交互に配置される第１のコンタクトと第２のコンタクトとで構成され、前記第１のコンタクト及び前記第２のコンタクトをガイドするコンタクト収容溝が前記アクチュエータに設けられていることを特徴とする。
【００１４】
第１のコンタクトと第２のコンタクトとがアクチュエータに設けられたコンタクト収容溝によってガイドされ、コンタクト配列方向へ整列する。
【００１５】
請求項５記載の発明は、請求項１〜４のいずれか１項記載のコネクタにおいて、前記アクチュエータの先端部に、前記接続対象物の導体パターンに対する前記コンタクトの位置を合わせるための位置決め部が形成されていることを特徴とする。
【００１６】
位置決め部によって接続対象物の導体パターンとコンタクトとの位置決めが容易になる。
【００１７】
【発明の実施の形態】
以下、この発明の実施の形態を図面に基づいて説明する。
【００１８】
図１はこの発明の第１実施形態に係るコネクタの側面図、図２は図１のＡ矢視図、図３は図１のＢ矢視図、図４は図１のＣ矢視図である。
【００１９】
このコネクタは、第１のコンタクト１０と、第２のコンタクト２０と、絶縁ハウジング３０と、アクチュエータ４０とを備えている。
【００２０】
コンタクト１０，２０は絶縁ハウジング３０に保持されている。
【００２１】
第１のコンタクト１０と第２のコンタクト２０とはコンタクト配列方向へ交互に配置されている。
【００２２】
第１のコンタクト１０の接触部１１及び第２のコンタクト２０の接触部２１とは、絶縁ハウジング３０にコンタクト配列方向へ形成された空間部Ｓに突出している。
【００２３】
また、第１のコンタクト１０の端子部１２と第２のコンタクト２０の端子部２２とが絶縁ハウジング３０の下面から突出する。
【００２４】
アクチュエータ４０の長手方向の両端にはボス４１が設けられ、ボス４１は絶縁ハウジング３０に形成された凹部３１に回転可能に支持されている。
【００２５】
図５はコネクタの一部を示す斜視図である。
【００２６】
アクチュエータ４０には、後述するばね部１３，２３の弾性力に抗して接触部１１，２１を移動させ、空間部Ｓの容積を増やすための操作部４２が設けられている。操作部４２にはアクチュエータ４０の長手方向へ延びる矩形断面の溝４６が形成されている。
【００２７】
アクチュエータ４０の先端部には、プリント基板（接続対象物）５０の導体パターン５１（図２０参照）に対するコンタクト１０，２０の位置を合わせるための２つの凸部５２ａ，５２ｂで構成される位置決め部５２が形成されている。
【００２８】
図６は第１のコンタクトの斜視図、図７は第１のコンタクトの絶縁ハウジング及びアクチュエータへの取付状態を示す斜視図である。
【００２９】
第１のコンタクト１０は、固定部１４と、突起部１５と、係合部１６と、接触部１１と、ばね部１３と、端子部１２とを有する。
【００３０】
固定部１４は絶縁ハウジング３０の溝３２に固定される。
【００３１】
突起部１５は固定部１４の近傍に設けられ、その先端部が絶縁ハウジング３０の背面から突出する。
【００３２】
係合部１６はアクチュエータ４０に設けられたカム部４４に係合する。
【００３３】
接触部１１は、係合部１６の近傍に設けられ、プリント基板５０（図１１参照）の導体パターン５１と接触可能である。
【００３４】
ばね部１３はほぼＬ字形である。ばね部１３は、固定部１４と接触部１１との間に設けられ、接触部１１に弾性力を付与する。このばね部１３はアクチュエータ４０に設けられたコンタクト収容溝（第１の溝）４３に収容される。
【００３５】
なお、第１のコンタクト１０はコンタクト収容溝４３内でコンタクト配列方向へ僅かに動くことができる。
【００３６】
図８は第２のコンタクトの斜視図、図９は第２のコンタクトの絶縁ハウジング及びアクチュエータへの取付状態を示す斜視図である。
【００３７】
第２のコンタクト２０は、固定部２４と、突起部２５と、係合部２６と、接触部２１と、端子部２２と、ばね部２３と、ガイドフィン（ガイド部）２７とを有する。
【００３８】
固定部２４は絶縁ハウジング３０の溝部３５に固定される。
【００３９】
突起部２５は、固定部２４の近傍に設けられている。突起部２５は絶縁ハウジング３０の段部３４と同一形状であり、第２のコンタクト２０は絶縁ハウジング３０のコンタクト収容溝（第２の溝）３３に収容されている。
【００４０】
係合部２６はほぼＵ字形であり、この係合部２６はアクチュエータ４０に設けられたカム部４５に係合する。
【００４１】
接触部２１は、係合部２６の近傍に設けられ、プリント基板５０の導体パターン５１と接触可能である。
【００４２】
ばね部２３はほぼＵ字形である。このばね部２３は、固定部２４と接触部２１との間に設けられ、接触部２１に弾性力を付与する。
【００４３】
ガイドフィン２７はばね部２３に形成されている。このガイドフィン２７は絶縁ハウジング３０に設けられたコンタクト収容溝３３によってガイドされている。
【００４４】
なお、第２のコンタクト２０は第１のコンタクト１０を収容するコンタクト収容溝４３に隣接するコンタクト収容溝４３内でコンタクト配列方向へ僅かに動くことができる。
【００４５】
図１０は第１のコンタクトと第２のコンタクトとの位置関係を説明する斜視図である。
【００４６】
第２のコンタクト２０のばね部２３には第１のコンタクト１０の接触部１１とコンタクト配列方向で対向する凹部２３ａが形成されている。
【００４７】
そのため、絶縁ハウジング３０内のコンタクト配列方向へ隣接配置される第１のコンタクト１０と第２のコンタクト２０との干渉が防止される。
【００４８】
図１１，図１２はプリント基板とコネクタとの接続状態を示す断面図、図１３、図１４はプリント基板の挿入、抜去時を示す断面図である。
【００４９】
絶縁ハウジング３０の空間部Ｓにプリント基板５０が挿入される。
【００５０】
操作部４２が操作されないとき、第１のコンタクト１０の接触部１１及び第２のコンタクト２０の接触部２１はプリント基板５０の導体パターン５１と接触する。（図１１及び図１２参照）
操作部４２が操作され、アクチュエータ４０がボス４１を中心として回転したとき、ばね部１３の弾性力に抗して接触部１１が上方へ移動するとともに、ばね部２３の弾性力に抗して接触部２１が上方へ移動する（図１３及び図１４参照）。
【００５１】
そのため、空間部Ｓの容積が増加し、導体パターン５１を接触部１１，２１に接触させることなくプリント基板５０を挿入又は抜去することができる。
【００５２】
図１５は端子部への他のプリント基板の接続例を示す図である。
【００５３】
絶縁ハウジング３０の下面から突出する第１のコンタクト１０の端子部１２と第２のコンタクト２０の端子部２２にはＦＰＣ（又はＦＦＣ）６１を介して他のプリント基板６０を接続することができる。
【００５４】
なお、図１５ではＦＰＣ６１と他のプリント基板６０とが他のコネクタ６２を介して接続されているが、ＦＰＣ６１を半田付けによって直接他のプリント基板６０に接続してもよい。
【００５５】
次に、開閉治具７０を用いてプリント基板５０をコネクタへ挿入する方法を説明する。
【００５６】
図１６〜図１９は開閉治具を用いてプリント基板をコネクタへ挿入する方法を説明する図である。
【００５７】
ここで、図１６はコネクタを開閉治具７０に装着する前の状態を示す断面図、図１７はコネクタを開閉治具７０に装着した状態を示す断面図、図１８はコネクタにプリント基板５０を挿入する直前の状態を示す断面図、図１８はコネクタにプリント基板５０を挿入した状態を示す断面図である。
【００５８】
開閉治具７０は開閉治具本体７１と操作アーム７２と保持体７３とを備える。
【００５９】
開閉治具本体７１はほぼＴ字形であり、基部７４と支持部７５とを備える。支持部７５には第１のコンタクト１０の突起部１５と係合する段部７５ａが形成されている。
【００６０】
操作アーム７２は軸７８を介して支持部７５に回転可能に支持されている。操作アーム７２の先端部７２ａは操作部４２の凹溝４６と係合可能である。
【００６１】
保持体７３はほぼＬ字形であり、基部７６と保持部７７とを備える。保持部７７には絶縁ハウジング３０の段部３４と係合する段部７７ａが形成されている。
【００６２】
なお、保持体７３を図示しない固定部材によって開閉治具本体７１に固定させることができる。
【００６３】
まず、コネクタの背面（空間部Ｓが形成されていない側）を支持部７５と対向させ、コネクタを基部７４と操作アーム７２の先端部７２ａとの間へ矢印に示す方向から挿入する（図１６参照）。
【００６４】
その結果、第１のコンタクト１０の突起部１５が段部７５ａに係合し、操作アーム７２の先端部７２ａが溝４６に係合する。
【００６５】
次に、絶縁ハウジング３０の段部３４に保持部７７の段部７７ａを係合するとともに、保持体７３を開閉治具本体７１に固定する。
【００６６】
その結果、コネクタが開閉治具７０に装着される（図１７参照）。
【００６７】
この状態から操作アーム７２の後端部を矢印ａに示す方向へ付勢し、操作アーム７２の先端部を矢印ｂに示す方向へ回転させ、絶縁ハウジング３０の空間部Ｓの容積を増大させる。そして、この空間部Ｓへプリント基板５０を矢印ｃに示す方向から挿入する（図１８参照）。
【００６８】
このとき、接触部１１，２１と導体パターン５１とは接触しないので、コネクタの接触部１１，２１が損傷したり、絶縁ハウジング３０に亀裂が生じたりすることがない。仮に、ガラス基板やセラミック基材のように導体パターン５１の強度が小さいプリント基板５０であっても、導体パターン５１がはがれることがない。
【００６９】
その後、操作アーム７２の後端部へ作用する付勢力を解除する。その結果、ばね部１３，２３の弾性力によって操作アーム７２の後端部が矢印方向ｄへ回転して、アクチュエータ４０が元の状態（図１７に示す状態）に復帰し、接触部１１，２１が導体パターン５１に接触する（図１９参照）。
【００７０】
最後に、コネクタを開閉治具７０から取り外す。
【００７１】
なお、プリント基板５０をコネクタに挿入するとき、次のようにして導体パターン５１に対するコンタクト１０，２０の位置を合わせる。
【００７２】
図２０は導体パターンに対するコンタクトの位置を合わせる方法を説明する拡大図である。なお、図２０の左側半分にはコネクタが省略されて導体パターン５１だけが図示されている。
【００７３】
２つの凸部５２ａ，５２ｂ間のギャップｇはコンタクト収容溝４３の幅と同じ寸法である。
【００７４】
プリント基板５０をコネクタに挿入するとき、図２０に示すように、ギャップｇと導体パターン５１とを合わせる。その結果、第１のコンタクト１０及び第２のコンタクト２０と導体パターン５１とが一致する。
【００７５】
この実施形態によれば、絶縁ハウジング３０の空間部Ｓの容積を増加させて接触部１１，２１と導体パターン５１とが接触しない状態とした後、プリント基板５０をコネクタへ挿入し、又はコネクタから抜去するため、コンタクト１０，２０や導体パターン５１に損傷を与えない。
【００７６】
また、位置決め部５２によって第１のコンタクト１０及び第２のコンタクト２０と導体パターン５１とを一致させることができるため、コンタクト１０，２０を正しい位置に配置することができる。
【００７７】
ガイドフィン２７によってコンタクト配列方向へ隣接配置される第１のコンタクト１０と第２のコンタクト２０との干渉が防止される。
【００７８】
図２１はこの発明の第２実施形態に係るコネクタの側面図、図２２は図２１のＤ矢視図、図２３は図２１のＥ矢視図、図２４は図１のＦ矢視図である。
【００７９】
このコネクタは、第１のコンタクト１１０と、第２のコンタクト１２０と、絶縁ハウジング１３０と、アクチュエータ１４０とを備えている。
【００８０】
第１のコンタクト１１０と第２のコンタクト１２０とは絶縁ハウジング１３０に保持されている。
【００８１】
第１のコンタクト１１０と第２のコンタクト１２０とは、絶縁ハウジング１３０内にコンタクト配列方向へ交互に配置されている。
【００８２】
第１のコンタクト１１０の接触部１１１及び第２のコンタクト１２０の接触部１２１は絶縁ハウジング１３０にコンタクト配列方向へ形成された空間部Ｓに突出している。
【００８３】
また、後述する端子部１１７，１２８が絶縁ハウジング１３０の下面から突出する。
【００８４】
第１のコンタクト１１０及び第２のコンタクト１２０にはアクチュエータ１４０が回転可能に設けられている。アクチュエータ１４０は後述するカム部１４４，１４５を中心として回転する。
【００８５】
図２５は第１のコンタクトの斜視図、図２６は第２のコンタクトの斜視図である。
【００８６】
第１のコンタクト１１０は、固定部１１４ａ〜１１４ｃと、突起部１１５と、係合部１１６と、接触部１１１と、ばね部１１３と、端子部１１７とを有する。
【００８７】
突起部１１５は、固定部１１４ａ，１１４ｂの近傍に設けられている。
【００８８】
係合部１１６はプリント基板５０の挿入方向（図２７に矢印で示した方向）と反対方向へ延びる。
【００８９】
接触部１１１は、係合部１１６の近傍に設けられ、導体パターン５１と接触可能である。
【００９０】
ばね部１１３はほぼＬ字形である。ばね部１１３は、固定部１１４ａと接触部１１１との間に設けられ、接触部１１１に弾性力を付与する。
【００９１】
端子部１１７は固定部１１４ｃの近傍に設けられている。
【００９２】
第２のコンタクト１２０は、固定部１２４ａ，１２４ｂと、突起部１２５と、係合部１２６と、接触部１２１と、ばね部１２３と、端子部１２８とを有する。
【００９３】
突起部１２５は、固定部１２４ｂの近傍に設けられている。
【００９４】
係合部１２６はほぼＬ字形であり、その先端部がプリント基板５０の挿入方向と同じ方向へ延びる。
【００９５】
接触部１２１は、係合部１２６の近傍に設けられ、導体パターン５１と接触可能である。
【００９６】
ばね部１２３はほぼＬ字形である。このばね部１２３は、固定部１２４ａと接触部１２１との間に設けられ、接触部１２１に弾性力を付与する。
【００９７】
端子部１２８は固定部１２４ｂの近傍に設けられている。
【００９８】
図２７はコンタクトの絶縁ハウジング及びアクチュエータへの取付状態を示す斜視図、図２８は第１のコンタクトと第２のコンタクトとの位置関係を説明する斜視図である。
【００９９】
第１のコンタクト１１０と第２のコンタクト１２０とは絶縁ハウジング１３０内にコンタクト配列方向へ交互に配置されている(図２７参照)。
【０１００】
第１のコンタクト１１０及び第２のコンタクト１２０の一部はアクチュエータ１４０のコンタクト収容溝１４７に収容される。コンタクト１１０，１２０はコンタクト収容溝１４７内でコンタクト配列方向へ僅かに動くことができる。
【０１０１】
固定部１１４ａ〜１１４ｃは絶縁ハウジング１３０の溝１３２ａ〜１３２ｃに固定される。
【０１０２】
固定部１２４ａ〜１２４ｂは絶縁ハウジング１３０の溝１３５ａ〜１３５ｂに固定される（図３０参照）。
【０１０３】
突起部１１５は絶縁ハウジング１３０の段部１３６と同一形状であり、第１のコンタクト１１０はコンタクト収容溝１４７に収容される。
【０１０４】
突起部１２５は絶縁ハウジング１３０の段部１３４と同一形状であり、第２のコンタクト１２０はコンタクト収容溝１４７に収容される。
【０１０５】
なお、コンタクト１２０はコンタクト１１０を収容するコンタクト収容溝１４７に隣接するコンタクト収容溝１４７内でコンタクト配列方向へ僅かに動くことができる。
【０１０６】
係合部１１６はアクチュエータ１４０のコンタクト収容溝１４７に設けられたカム部１４４に係合する。
【０１０７】
係合部１２６はアクチュエータ１４０のコンタクト収容溝１４７に設けられたカム部１４５（図３０参照）に係合する。
【０１０８】
図２９，図３０及び図３１はプリント基板とコネクタとの接続状態を示す断面図である。
【０１０９】
なお、図２９，図３０はアクチュエータ１４０を閉じた状態、図３１はアクチュエータ１４０を開いた状態をそれぞれ示す。
【０１１０】
アクチュエータ１４０には、ばね部１１３，１２３の弾性力に抗して接触部１１１，１２１を移動させ、空間部Ｓの容積を増やすための操作部１４２が設けられている。操作部１４２にはアクチュエータ１４０の長手方向へ延びる矩形断面の溝１４６が形成されている（図３１参照）。
【０１１１】
絶縁ハウジング１３０の空間部Ｓにはプリント基板５０が挿入される。
【０１１２】
操作部１４２が操作されていないとき、第１のコンタクト１１０の接触部１１１及び第２のコンタクト１２０の接触部１２１はプリント基板５０の導体パターン５１と接触する。
【０１１３】
カム部１４４は円弧部１４４ａを有し、円弧部１４４ａが係合部１１６に接触する。また、カム部１４５は円弧部１４５ａを有し、円弧部１４５ａが係合部１２６に接触する。
【０１１４】
第２のコンタクト１２０のカム部１４５の円弧部と第１のコンタクト１１０のカム部１４４の円弧部とは９０°ずれている。そのため、アクチュエータ１４０はカム部１４４を中心として回転することができる。
【０１１５】
図３２は端子部への他のプリント基板の接続例を示す図である。
【０１１６】
端子部１１７，１２８にはＦＰＣ１６１ａ，１６１ｂを介して他のプリント基板１６０が取り付けられる。
【０１１７】
なお、図３２ではＦＰＣ１６１ａ，１６１ｂと他のプリント基板１６０とが他のコネクタ１６２を介して接続されているが、ＦＰＣ１６１ａ，１６１ｂを半田付けによって直接他のプリント基板１６０に接続してもよい。
【０１１８】
次に、開閉治具７０を用いてプリント基板５０をコネクタへ挿入する方法を説明する。
【０１１９】
図３３〜図３７はプリント基板をコネクタへ挿入する方法を説明する図である。
【０１２０】
ここで、図３３はコネクタを開閉治具７０に装着する前の状態を示す断面図、図３４はコネクタにプリント基板５０を挿入する直前の状態を示す断面図、図３５は開閉治具７０を付勢して空間部Ｓを増大させ、コネクタにプリント基板５０を挿入した直後の状態を示す断面図、図３６は操作アーム７２に対する付勢力を解除した状態を示す断面図、図３７はアクチュエータ１４０を閉じた状態を示す断面図である。
【０１２１】
なお、開閉治具７０は第１実施形態の開閉治具とほぼ同じ構成であるので、同一符号を付して示しその説明を省略する。
【０１２２】
まず、コネクタの背面（空間部Ｓが形成されていない側）を支持部７５と対向させ、コネクタを基部７４と操作アーム７２の先端部７２ａとの間へ挿入する（図３３参照）。このとき、アクチュエータ１４０を予め開いた状態にしておく。
【０１２３】
コネクタの挿入により、第１のコンタクト１１０の突起部１１５が段部７５ａに係合し、操作アーム７２の先端部７２ａが溝１４６に係合する。
【０１２４】
次に、絶縁ハウジング１３０の段部１３４に保持部７７の段部７７ａを係合するとともに、保持体７３を開閉治具本体７１に固定させる。
【０１２５】
その結果、コネクタが開閉治具７０に装着される（図３４参照）。
【０１２６】
この状態から操作アーム７２の後端部を矢印ａ１に示す方向へ付勢し、操作アーム７２の先端部を矢印ｂ１に示す方向へ回転させ、空間部Ｓの容積を増大させる。そして、この空間部Ｓへプリント基板５０を挿入する（図３５参照）。
【０１２７】
接触部１１１，１２１と導体パターン５１とは接触しないので、コネクタの接触部１１１，１２１が損傷したり、絶縁ハウジング１３０に亀裂が生じたりすることがない。
【０１２８】
このとき、例えば第１実施形態で説明した位置決め部５２を用いることによって導体パターン５１に対するコンタクト１１０，１２０の位置を合わせる。
【０１２９】
その後、操作アーム７２の後端部へ作用する付勢力を解除する。その結果、ばね部１１３，１２３（図３６ではばね部１２３は見えない）の弾性力によって操作アーム７２の後端部が矢印方向ｄ１へ回転して、アクチュエータ１４０が元の状態（図３４に示す状態）に復帰し、接触部１１１，１２１が導体パターン５１に接触する（図３６参照）。
【０１３０】
最後に、コネクタを開閉治具７０から取り外し、アクチュエータ１４０を閉じる（図３７参照）。
【０１３１】
この実施形態によれば、第１実施形態と同様の効果を奏するとともに、アクチュエータ１４０によって第１のコンタクト１１０の接触部１１１と第２のコンタクト１２０の接触部１２１とがガイドされるため、絶縁ハウジング１３０内のコンタクト配列方向へ隣接配置される第１のコンタクト１１０と第２のコンタクト１２０とをガイドフィン２７を用いずに精度良く整列させることができる。
【０１３２】
また、アクチュエータ１４０を閉じたとき、第１のコンタクト１１０及び第２のコンタクト１２０の上方が塞がれるので、塵埃等の付着によって第１のコンタクト１１０と第２のコンタクト１２０とがショートする事態を有効に防止することができる。
【０１３３】
なお、上記各実施形態では第１のコンタクトと第２のコンタクトとの２種類のコンタクトを用いたが、１種類のコンタクト、例えば第２のコンタクトだけを用いるようにしてもよい。
【０１３４】
【発明の効果】
以上に説明したように請求項１、２に記載の発明のコネクタによれば、コンタクトピッチを狭小化し、コンタクト数を多極化した場合であっても、コンタクトや導体パターンに損傷を与えることなく、プリント基板とコネクタとの挿入、抜去を行うことができる。
【０１３５】
請求項３に記載の発明のコネクタによれば、絶縁ハウジング内のコンタクト配列方向へ隣接配置される第１のコンタクトと第２のコンタクトとの干渉が防止される。
【０１３６】
請求項４に記載の発明のコネクタによれば、絶縁ハウジング内のコンタクト配列方向へ隣接配置される第１のコンタクトと第２のコンタクトとをガイド部を用いずに精度良く整列させることができる。
【０１３７】
請求項５に記載の発明のコネクタによれば、位置決め部によって接続対象物の導体パターンとコンタクトとの位置決めが容易になる。
【図面の簡単な説明】
【図１】図１はこの発明の第１実施形態に係るコネクタの側面図である。
【図２】図２は図１のＡ矢視図である。
【図３】図３は図１のＢ矢視図である。
【図４】図４は図１のＣ矢視図である。
【図５】図５はコネクタの一部を示す斜視図である。
【図６】図６は第１のコンタクトの斜視図である。
【図７】図７は第１のコンタクトの絶縁ハウジング及びアクチュエータへの取付状態を示す斜視図である。
【図８】図８は第２のコンタクトの斜視図である。
【図９】図９は第２のコンタクトの絶縁ハウジング及びアクチュエータへの取付状態を示す斜視図である。
【図１０】図１０は第１のコンタクトと第２のコンタクトとの位置関係を説明する斜視図である。
【図１１】図１１はプリント基板とコネクタとの接続状態を示す断面図である。
【図１２】図１２はプリント基板とコネクタとの接続状態を示す断面図である。
【図１３】図１３はプリント基板の挿入、抜去時を示す断面図である。
【図１４】図１４はプリント基板の挿入、抜去時を示す断面図である。
【図１５】図１５は端子部への他のプリント基板の接続例を示す図である。
【図１６】図１６は開閉治具を用いてプリント基板をコネクタへ挿入する方法を説明する図である。
【図１７】図１７は開閉治具を用いてプリント基板をコネクタへ挿入する方法を説明する図である。
【図１８】図１８は開閉治具を用いてプリント基板をコネクタへ挿入する方法を説明する図である。
【図１９】図１９は開閉治具を用いてプリント基板をコネクタへ挿入する方法を説明する図である。
【図２０】図２０は導体パターンに対するコンタクトの位置を合わせる方法を説明する拡大図である。
【図２１】図２１はこの発明の第２実施形態に係るコネクタの側面図である。
【図２２】図２２は図２１のＤ矢視図である。
【図２３】図２３は図２１のＥ矢視図である。
【図２４】図２４は図１のＦ矢視図である。
【図２５】図２５は第１のコンタクトの斜視図である。
【図２６】図２６は第２のコンタクトの斜視図である。
【図２７】図２７はコンタクトの絶縁ハウジング及びアクチュエータへの取付状態を示す斜視図である。
【図２８】図２８は第１のコンタクトと第２のコンタクトとの位置関係を説明する斜視図である。
【図２９】図２９はプリント基板とコネクタとの接続状態を示す断面図である。
【図３０】図３０はプリント基板とコネクタとの接続状態を示す断面図である。
【図３１】図３１はプリント基板とコネクタとの接続状態を示す断面図である。
【図３２】図３２は端子部への他のプリント基板の接続例を示す図である。
【図３３】図３３はプリント基板をコネクタへ挿入する方法を説明する図である。
【図３４】図３４はプリント基板をコネクタへ挿入する方法を説明する図である。
【図３５】図３５はプリント基板をコネクタへ挿入する方法を説明する図である。
【図３６】図３６はプリント基板をコネクタへ挿入する方法を説明する図である。
【図３７】図３７はプリント基板をコネクタへ挿入する方法を説明する図である。
【符号の説明】
１０，１１０  第１のコンタクト
１１，２１，１１１，１２１  接触部
１３，２３，１１３，１２３  ばね部
１４，２４，１１４，１２４  固定部
１６，２６，１１６，１２６  係合部
２０，１２０  第２のコンタクト
２７  ガイドフィン（ガイド部）
３０，１３０  絶縁ハウジング
３３  コンタクト収容溝（第２の溝）
４０，１４０  アクチュエータ
４２，１４２  操作部
４３  コンタクト収容溝（第１の溝）
４４，４５，１４４，１４５  カム部
５０  プリント基板（接続対象物）
５１  導体パターン
５２  位置決め部
１４７  コンタクト収容溝
【図１】
0003710718.tif 000002
【図２】
0003710718.tif 000003
【図３】
0003710718.tif 000004
【図４】
0003710718.tif 000005
【図５】
0003710718.tif 000006
【図６】
0003710718.tif 000007
【図７】
0003710718.tif 000008
【図８】
0003710718.tif 000009
【図９】
0003710718.tif 000010
【図１０】
0003710718.tif 000011
【図１１】
0003710718.tif 000012
【図１２】
0003710718.tif 000013
【図１３】
0003710718.tif 000014
【図１４】
0003710718.tif 000015
【図１５】
0003710718.tif 000016
【図１６】
0003710718.tif 000017
【図１７】
0003710718.tif 000018
【図１８】
0003710718.tif 000019
【図１９】
0003710718.tif 000020
【図２０】
0003710718.tif 000021
【図２１】
0003710718.tif 000022
【図２２】
0003710718.tif 000023
【図２３】
0003710718.tif 000024
【図２４】
0003710718.tif 000025
【図２５】
0003710718.tif 000026
【図２６】
0003710718.tif 000027
【図２７】
0003710718.tif 000028
【図２８】
0003710718.tif 000029
【図２９】
0003710718.tif 000030
【図３０】
0003710718.tif 000031
【図３１】
0003710718.tif 000032
【図３２】
0003710718.tif 000033
【図３３】
0003710718.tif 000034
【図３４】
0003710718.tif 000035
【図３５】
0003710718.tif 000036
【図３６】
0003710718.tif 000037
【図３７】
0003710718.tif 000038